(57)【特許請求の範囲】
【請求項１】
表示部を有する第１の筐体と、充電端子を有する第２の筐体とを備え、該第１の筐体と第２の筐体とが重合する重合状態と、該第１の筐体と第２の筐体とが開いた状態又は第１の筐体が第２の筐体に対してスライドした状態になる非重合状態とに切換可能な携帯端末を装着した状態で、上記充電端子に通電可能な携帯端末用卓上ホルダーであって、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部とを備え、
伸張させた状態の補助脚部の先端と、上記膨出部の該補助脚部側の側面とが被載置面に当接する横置き状態で上記携帯端末を保持可能に構成されている
ことを特徴とする携帯端末の卓上ホルダー。
【請求項２】
請求項１に記載の携帯端末の卓上ホルダーにおいて、
背面側に着脱自在に設けられ、先端側に向かって幅狭となるスタンド板を備え、
上記スタンド板が取り外されて上記本体部の背面が被載置面に当接する平置き状態と、
上記膨出部及び上記スタンド板とが被載置面に当接する縦置き状態と、
上記横置き状態との３通りの載置姿勢を選択可能に構成されている
ことを特徴とする携帯端末の卓上ホルダー。
【請求項３】
請求項１又は２に記載の携帯端末の卓上ホルダーにおいて、
上記補助脚部は、上記非重合状態で上記表示部の横長表示面が現れた上記横置き状態における上記携帯端末及び卓上ホルダーの重心の真下又は真下よりも上記膨出部と反対側に配置されている
ことを特徴とする携帯端末の卓上ホルダー。
【請求項４】
請求項１乃至３のいずれか１つに記載の携帯端末の卓上ホルダーにおいて、
上記補助脚部は、上記本体部の両側面に内蔵されている
ことを特徴とする携帯端末の卓上ホルダー。
【請求項５】
請求項１乃至４のいずれか１つに記載の携帯端末の卓上ホルダーにおいて、
上記補助脚部は、１つの成型品よりなる
ことを特徴とする携帯端末の卓上ホルダー。
【請求項６】
請求項１乃至５のいずれか１つに記載の携帯端末の卓上ホルダーにおいて、
上記補助脚部は、
上記本体部の側面に開口する脚部用穴部に挿入されて先端面が該穴部の周縁と面一となる格納状態と、
上記穴部から引き出された状態で保持される伸長状態とに伸縮自在に構成されている
ことを特徴とする携帯端末の卓上ホルダー。
【請求項７】
請求項６に記載の携帯端末の卓上ホルダーにおいて、
上記伸長状態では、上記穴部内面を形成する隔壁から突出させた手前側係合部に上記補助脚部に突設した突起部が係合するように構成され、
上記突起部が突設された上記補助脚部の該突起部と反対側は、切り欠かれることによって弾性変形自在となっている
ことを特徴とする携帯端末の卓上ホルダー。
【請求項８】
請求項７に記載の携帯端末の卓上ホルダーにおいて、
上記穴部内面を形成する隔壁の上記手前側係合部よりも奥側には、上記突起部が格納状態で係合される奥側係合部が突設されている
ことを特徴とする携帯端末の卓上ホルダー。
【請求項９】
請求項６乃至８のいずれか１つに記載の携帯端末の卓上ホルダーにおいて、
上記穴部は、上記本体部の側面から背面に向かって開口され、該背面側の該穴部の周縁には段部が形成され、
上記補助脚部には、上記伸長状態から該補助脚部が抜け出すのを防止するために、上記段部に引っ掛かるかえり部が形成されている
ことを特徴とする携帯端末の卓上ホルダー。
【請求項１０】
請求項１乃至９のいずれか１つに記載の携帯端末の卓上ホルダーにおいて、
上記補助脚部には、格納状態から該補助脚部を引き出すための指掛け部が突設されている
ことを特徴とする携帯端末の卓上ホルダー。
【請求項１１】
請求項１乃至１０のいずれか１つに記載の携帯端末の卓上ホルダーにおいて、
上記補助脚部の先端面には、滑り止め手段が施されている
ことを特徴とする携帯端末の卓上ホルダー。
【請求項１２】
請求項１乃至１１のいずれか１つに記載の携帯端末の卓上ホルダーにおいて、
上記携帯端末は、携帯電話機であり、
上記横置き状態でＴＶ視聴可能に構成されている
ことを特徴とする携帯端末の卓上ホルダー。
【発明の詳細な説明】
【技術分野】
【０００１】
本発明は、携帯端末を装着した状態で該携帯端末に通電可能な携帯端末の卓上ホルダーに関するものである。
【背景技術】
【０００２】
従来より、表示部を有する第１の筐体と、該第１の筐体にヒンジ部において折り畳み可能に連結された第２の筐体とを有する折畳み式携帯端末等の携帯端末を装着した状態で該携帯端末に通電可能な携帯端末の卓上ホルダーは知られている。
【０００３】
特に近年携帯電話機で代表される携帯端末では、ＴＶ受信機能を有するものが多くなってきている。一方では、その携帯性の向上のためにバッテリーの容量をあまり大きくできないので、ＴＶ視聴を行っていると、内蔵したバッテリーの電力を大量に消費して長時間視聴できないという問題がある。
【０００４】
また、通常、携帯電話機は、手に持ったときに縦長の表示画面となる表示部を有しているが、ＴＶ画像は横長表示であるため、横長表示としないと画面上にＴＶ画像を大きく表示することができない。
【０００５】
そこで、表示部に横長画像を表示した状態で外部電力を供給しながらＴＶ視聴を行いたいというニーズが増えている。しかし、携帯端末における第１の筐体と第２の筐体との連結方法によっては、横置き状態で安定して被載置面に載置して通電しながらＴＶ視聴することができない場合がある。
【０００６】
このため、例えば、特許文献１では、充電のみを行うときは第１の膨出部を下にして携帯電話機を縦置きとする第１の載置位置で載置するが、充電とデータ通信を同時に行うときは、第２の膨出部のある側面側に倒して横置きとする第２の載置位置で載置するようにしている。このことで、第２の膨出部で携帯電話機を支えるとともに、爪部が携帯電話機の凹部に嵌合して保持することで、携帯電話機を低い重心で保持すると同時に、開口部を通して携帯電話機のインターフェイスコネクタにデータ通信ケーブルを接続することができるようにしている。
【０００７】
また、特許文献２では、携帯通信端末機を下部側で係合装着する装着本体部と、装着本体部の背面に上下方向回動自在に設けたスタンドとを備えている。このスタンドは、装着本体部の背面に一端を軸着しているアーム部と、アーム部に略台形形状の接地ベース部とを連結した側面視略Ｌ字又は略Ｔ字型となっている。略台形形状の接地ベース部は、本体部の底部側に回動した起立状態にて装着本体部側が略台形形状の上底になるように配置し、本体部の頂部側に回動した横斜め状態にて携帯通信端末機の側部を支持するように突出するガイド状突起を略台形形状の下底側に有している。
【特許文献１】特開２００６−２６２３２６号公報
【特許文献２】特開２００６−２７０２４２号公報
【発明の開示】
【発明が解決しようとする課題】
【０００８】
しかしながら、特許文献１の携帯端末の卓上ホルダーでは、第２の膨出部が一方側にのみ設けられているので、見映えが悪く、また、携帯端末を水平に載置する平置き状態とすることができない。また、表示部のある第１の筐体が第２の筐体に対して回転することにより縦長と横長とに切換可能な携帯端末に対し、縦置き状態で第１の筐体を横長にして第２の筐体を保持しようとすると、台部が第１の筐体と干渉するという問題がある。
【０００９】
また、特許文献２の携帯端末の卓上ホルダーでは、平置き、縦置き及び横置きの３通りの置き方が可能であるが、接地ベース部の構成が複雑であり、その操作も煩雑である。
【００１０】
さらに、表示部を有する第１の筐体と、この第１の筐体にヒンジ部において折り畳み可能に連結された第２の筐体とを有する折畳み式携帯端末や、第１の筐体を第２の筐体に対してスライドさせるスライド式携帯端末では、横長画像を表示部に表示しながら通電を行うようにすると、第１の筐体と第２の筐体とが重合していたときには卓上ホルダーの中心近くにあった重心が、第１の筐体側に移動してバランスが悪くなるので、第１の筐体を第２の筐体に対して開いたり、スライドさせた非重合状態でも安定してＴＶ視聴が行えるようにする必要がある。
【００１１】
本発明は、かかる点に鑑みてなされたものであり、その目的とするところは、簡単な構成かつ簡単な操作で横置き状態で携帯端末を安定して載置しながら、表示部に横長画像を表示して視聴できるようにすることにある。
【課題を解決するための手段】
【００１２】
上記の目的を達成するために、この発明では、横置き状態で被載置面に当接しない本体部の少なくとも一方の側面に伸縮自在の補助脚部を内蔵した。
【００１３】
具体的には、第１の発明では、
表示部を有する第１の筐体と、充電端子を有する第２の筐体とを備え、該第１の筐体と第２の筐体とが重合する重合状態と、該第１の筐体と第２の筐体とが開いた状態又は第１の筐体が第２の筐体に対してスライドした状態になる非重合状態とに切換可能な携帯端末を装着した状態で、上記充電端子に通電可能な携帯端末用卓上ホルダーを対象とする。
【００１４】
そして、上記携帯端末用卓上ホルダーは、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部とを備え、
伸張させた状態の補助脚部の先端と、上記膨出部の該補助脚部側の側面とが被載置面に当接する横置き状態で上記携帯端末を保持可能に構成されている。
【００１５】
上記の構成によると、横置き状態では、膨出部の幅方向一方の側面が被載置面に当接するが、膨出部は、本体部における第２の筐体の充電端子側における少なくとも幅方向両側のみに形成されている、すなわち、充電端子と反対側には膨出部が形成されていないので、第１の筐体と第２の筐体とを非重合状態とし、例えば表示部の横長画像が表示される状態とすると、重心が第１の筐体の方へ移動して安定が悪くなる。しかし、膨出部が形成されずに被載置面から離れた位置にある本体部の側面に設けた脚部用穴部から補助脚部を伸張させることで、膨出部の幅方向一方の側面だけでなく、補助脚部の先端も被載置面に当接させることで、ユーザは、安定した携帯端末の横長状態の画面を見ながら長時間視聴を行うことができる。ここで、重合状態とは、例えば、折畳み式携帯端末では、第１の筐体と第２の筐体とを閉じて重なった状態をいい、スライド式携帯端末では、第１の筐体を第２の筐体に対してスライドさせる前の重なった状態をいう。非重合状態とは、折畳み式携帯端末では、第１の筐体と第２の筐体とを開いた状態をいい、スライド式携帯端末では、第１の筐体を第２の筐体に対してスライドさせた状態をいう。
【００１６】
第２の発明では、第１の発明において、
背面側に着脱自在に設けられ、先端側に向かって幅狭となるスタンド板を備え、
上記スタンド板が取り外されて上記本体部の背面が被載置面に当接する平置き状態と、
上記膨出部及び上記スタンド板とが被載置面に当接する縦置き状態と、
上記横置き状態との３通りの載置姿勢を選択可能に構成されている。
【００１７】
上記の構成によると、平置き状態では、着脱自在のスタンド板を取り外すと共に、補助脚部を格納して本体部の背面を被載置面に当接させることで、携帯端末を水平に保持した状態で膨出部内蔵の接続端子と第２の筐体の充電端子とを接続して通電可能となる。また、補助脚部を伸張させることで、補助脚部も被載置面に当接させてがたつきを防止することも可能である。
【００１８】
縦置き状態では、スタンド板を取り付けると共に補助脚部を格納した状態でスタンド板及び膨出部を被載置面に当接させることで、重合状態又は非重合状態の携帯端末を起こして保持した状態で膨出部内蔵の接続端子と第２の筐体の充電端子とを接続して通電可能となる。このとき、補助脚部は格納されているので、第１の筐体を第２の筐体に対して横長に切り換えたときに、補助脚部が第１の筐体に接触しない。
【００１９】
横置き状態では、膨出部の幅方向一方の側面が被載置面に当接するが、膨出部は本体部における第２の筐体の長手方向中間よりも上記充電端子側のみに形成されているので、第１の筐体と第２の筐体とが非重合状態のときは、重合状態のときの重心が第１の筐体の方へ移動して安定が悪くなる。しかし、膨出部が形成されずに被載置面から離れた位置にある本体部の側面に設けた脚部用穴部から補助脚部を伸張させることで、膨出部の幅方向一方の側面だけでなく、補助脚部の先端も被載置面に当接させることができる。このため、ユーザは、安定した携帯端末の横長状態の画面を見ながら長時間視聴を行うことができる。
【００２０】
第３の発明では、第１又は第２の発明において、
上記補助脚部は、上記非重合状態で上記表示部の横長表示面が現れた上記横置き状態における上記携帯端末及び卓上ホルダーの重心の真下又は真下よりも上記膨出部と反対側に配置されている。
【００２１】
上記の構成によると、非重合状態で表示部の横長表示面が現れた横置き状態では、携帯端末及び卓上ホルダーの重心は、第２の筐体と離れた位置にある第１の筐体側の方へ移動するが、その移動した重心の真下又は真下よりも被載置面に接地している膨出部と反対側に補助脚部が設けられているので、非重合状態かつ横置き状態の携帯端末が安定して保持され、快適に横長状態の画像を見ることができる。
【００２２】
第４の発明では、第１乃至第３のいずれか１つの発明において、
上記補助脚部は、上記本体部の両側面に内蔵されている。
【００２３】
上記の構成によると、横置き状態において、充電端子の位置に合わせて見やすい方向に横長画面を表示させることができる。
【００２４】
第５の発明では、第１乃至第４のいずれか１つの発明において、
上記補助脚部は、１つの成型品よりなるものとする。
【００２５】
上記の構成によると、成型品であれば複雑な構成でも容易に成形できると共に、部品点数が少ないので、材料費及び組立費が少なくてすむ。
【００２６】
第６の発明では、第１乃至第５のいずれか１つの発明において、
上記補助脚部は、
上記膨出部に設けた脚部用穴部に挿入されて先端面が該穴部の周縁と面一となる格納状態と、
上記穴部から引き出された状態で保持される伸長状態とに伸縮自在に構成されている。
【００２７】
上記の構成によると、格納状態では、補助脚部を脚部用穴部に挿入すれば、補助脚部の先端面が穴部の周縁と面一となるので見映えがよい。伸長状態では、延びた位置で保持された補助脚部の先端が被載置面に当接する。
【００２８】
第７の発明では、第６の発明において、
上記伸長状態では、上記穴部内面を形成する隔壁から突出させた手前側係合部に上記補助脚部に突設した突起部が係合するように構成され、
上記突起部が突設された上記補助脚部の該突起部と反対側は、切り欠かれることによって弾性変形自在となっている。
【００２９】
上記の構成によると、補助脚部の突起部の反対側を切り欠くという簡単な構成で突起部が容易に弾性変形するようになり、この弾性を利用して突起部が手前側係合部を乗り越えた後、この手前側係合部に係合することで補助脚部が伸長状態で保持される。補助脚部を格納するときには、再び弾性変形させながら手前側係合部を乗り越えさせて係合状態を解除するようにすればよいので、格納操作及び伸張操作が容易である。
【００３０】
第８の発明では、第７の発明において、
上記穴部内面を形成する隔壁の上記手前側係合部よりも奥側には、上記突起部が格納状態で係合される奥側係合部が突設されている。
【００３１】
上記の構成によると、突起部を変形させながら奥側係合部を乗り越えさせた後、係合させることで補助脚部が格納状態に保持される。補助脚部を伸長状態とするときには、突起部を再び弾性変形させながら奥側係合部を乗り越えさせて係合状態を解除するようにすればよい。
【００３２】
第９の発明では、第６乃至第８のいずれか１つの発明において、
上記補助脚部には、上記伸長状態から該補助脚部が抜け出すのを防止するために上記膨出部内面の上記穴部近傍に突設した段部に引っ掛かるかえり部が形成されている。
【００３３】
上記の構成によると、かえり部が穴部近傍の段部に引っ掛かるので、補助脚部を引っ張りすぎて膨出部から誤って抜き出してしまうことがない。
【００３４】
第１０の発明では、第１乃至第９のいずれか１つの発明において、
上記補助脚部には、格納状態から該補助脚部を引き出すための指掛け部が突設されている。
【００３５】
上記の構成によると、見映えをよくするために補助脚部の先端が穴部の周辺と面一となっていても、指掛け部に指を掛けることにより、容易に補助脚部を引き出すことができる。
【００３６】
第１１の発明では、第１乃至第１０のいずれか１つの発明において、
上記補助脚部の先端面には、滑り止め手段が施されている。
【００３７】
上記の構成によると、滑り止め手段により補助脚部が被載置面上を滑らないので、先端面の面積は狭くても横置き状態で安定してＴＶ視聴が可能となる。
【００３８】
第１２の発明では、第１乃至第１１のいずれか１つの発明において、
上記携帯端末は、携帯電話機であり、
上記横置き状態でＴＶ視聴可能に構成されている。
【００３９】
上記の構成によると、非重合状態とした携帯電話機の表示部に横長画像を表示しながら横置き状態で快適にＴＶ視聴をすることができる。
【発明の効果】
【００４０】
以上説明したように、本発明によれば、被載置面から離れた位置にある本体部の幅方向一方の側面に内蔵した伸縮自在の補助脚部を横置き状態で伸張させ、膨出部の側面とスタンド板の側面だけでなく、補助脚部の先端も被載置面に当接するようにしたことにより、簡単な構成かつ簡単な操作で横置き状態で携帯端末を安定して載置しながら、表示部に横長画像を表示して視聴できるようにすることができる。
【発明を実施するための最良の形態】
【００４１】
以下、本発明の実施形態を図面に基づいて説明する。
【００４２】
図１及び図２は、本発明の実施形態の携帯端末の卓上ホルダー１０を示す。図３〜図５に折り畳み携帯端末としての携帯電話機１が平置き、縦置き及び横置きの３通りの姿勢で卓上ホルダー１０に保持された様子をそれぞれ示す。
【００４３】
図５に示すように、携帯電話機１では、表示部２を有する第１の筐体３と、操作部４を有する第２の筐体５とが、ヒンジ部６において折り畳み可能に連結されている。第１の筐体３及び第２の筐体５は、折り畳んだときに互いに重なり合う（重合状態となる）縦長の直方体形状であり、矩形状の表示画面を有する表示部２は、第１の筐体３と第２の筐体５とをずらし（非重合状態とし）、すなわち、第１の筐体３を第２の筐体に対して開いて縦長の第２の筐体５を手に持ったときに上下方向に縦長となるように内蔵されている。なお、本実施形態では、説明の都合上、縦長の第２の筐体５を手に持ったときの携帯電話機１の上下左右方向に合わせて卓上ホルダー１０の上下左右も表す。
【００４４】
この携帯電話機１は、ＴＶ受信機能を有し、第２の筐体５の幅方向一方（右側、すなわち図５では上側）の右側側面５ｂには、内蔵したバッテリー（図示せず）に充電するための充電端子５ｄ（図１６に示す）が配置されている。
【００４５】
図１及び図２に示すように、卓上ホルダー１０は、第２の筐体５の背面側が当接した状態で載置される直方体状の本体部１１を備えている。この本体部１１の表面１１ａの面積は、第２の筐体５の背面の面積とほぼ同じとなっている。表面１１ａには、滑り止めを兼ねた矩形状のクッション材１１ｂが貼り付けられている。第２の筐体５の上下中間よりもヒンジ部６と反対側（縦置き状態のときの下側）の左側側面５ａ、右側側面５ｂ及び下側側面５ｃを包み込むように、膨出部１２が本体部１１から膨出して形成されている。すなわち、膨出部１２は第２の筐体５の下半分のみを覆うようになっている。左側側面５ａと右側側面５ｂとは左右均等幅に膨出して見映えがよくなっている。実際には、本体部１１と膨出部１２とは、表面側キャビネット１３と、背面側キャビネット１４（図１２に詳細を示す）とを厚さ方向中間で組み付ける樹脂成型品で構成されているので、その内部は空洞となっている。
【００４６】
膨出部１２は、第２の筐体５の左右側面５ａ，５ｂを保持する左側膨出部１２ａ及び右側膨出部１２ｂと、第２の筐体５の下側側面５ｃを保持する下側膨出部１２ｃとよりなる。下側膨出部１２ｃは、装着した携帯電話機１にＵＳＢコネクタ等を差し込めるように凹部１２ｄが切り欠くように形成されている。表面側キャビネット１３側の左側、右側及び下側膨出部１２ａ〜１２ｃは、表面側に向かって徐々に互いに狭まるように傾斜する平坦な傾斜面をそれぞれ有し、背面側キャビネット１４側の左側、右側及び下側膨出部１２ａ〜１２ｃも、同様に背面側に向かって徐々に傾斜する平坦な傾斜面をそれぞれ有している。背面側キャビネット１４側における左側膨出部１２ａの傾斜面が、横置き状態で被載置面５０に当接する横置載置面１５（図９に示す）となり、下側膨出部１２ｃの傾斜面が、縦置き状態で被載置面５０に当接する縦置載置面１６となる。また本体部１１及び膨出部１２の背面側の平坦面が、平置き状態で被載置面５０に当接する平置載置面１７となる。この平置載置面１７は、一部凹陥されて卓上ホルダー１０を外部電力（家庭用電源等）に接続する電気コード１８を嵌め込むための配線用凹部１７ａが凹陥されている。配線用凹部１７ａには、電気コード１８の先端のコネクタ１８ａを挿入するためのコネクタ挿入用開口１７ｂが形成されている。なお、下側膨出部１２ｃは形成されていなくてもよく、その場合には、本体部１１で縦置載置面１６を構成すればよい。
【００４７】
図１３に背面側キャビネット１４の内面側を示すように、膨出部１２の右側膨出部１２ｂには、第２の筐体５の右側側面５ｂに設けた充電端子５ｄに通電可能な接続端子２０が内蔵されている。この接続端子２０は、本体部１１に形成した一対の開口１１ｃから覗く一対の当接部２１ａを有する摺動式ノブ２１に連動し、携帯電話機１が本体部１１の表面１１ａに載置されたときに当接部２１ａが押されて摺動式ノブ２１が沈下し、接続端子２０が押し出されて充電端子５ｄに圧接するように構成されている。なお、図１３には、コネクタ１８ａと接続端子２０間に接続される電機部品は省略されている。
【００４８】
図１１に示すように、膨出部１２の背面側、正確には下側膨出部１２ｃの縦置載置面１６から平置載置面１７にわたり凹陥された取付用凹部２２には、スタンド板２３が着脱自在となっている。図１０に示すように、このスタンド板２３は、先端側に向かって幅狭となる略台形板状に成形された樹脂成型品よりなる。スタンド板２３の長辺側に設けた矩形状の差込部２３ａの先端の係合爪（図示せず）を取付用凹部２２の係合穴２２ａに抜き差しすることで、スタンド板２３が卓上ホルダー１０の背面に取り付け及び取り外し可能となっている。
【００４９】
このように構成することで、卓上ホルダー１０は、スタンド板２３が取り外されて平置載置面１７が被載置面５０に当接する平置き状態（図３に示す）と、膨出部１２の縦置載置面１６及びスタンド板２３が被載置面５０に当接する縦置き状態（図４に示す）と、膨出部１２の横置載置面１５及びスタンド板２３の側面が被載置面５０に当接する横置き状態（図５に示す）との３通りの載置姿勢を選択可能に構成されている。
【００５０】
そして、本発明の特徴として、本体部１１の上側（ヒンジ部６と反対側）の膨出部１２が形成されていない左側側面には、伸縮自在の補助脚部２４が内蔵されている。
【００５１】
具体的には、図１１に一部拡大して示すように、脚部用穴部２５は、膨出部１２が形成されていない本体部１１の左側側面から背面（平置載置面１７）に向かって開口されている。平置載置面１７側の穴部２５の奥側周縁は、平置載置面１７から立ち上がった段部２６が形成されている。図１２に一部拡大して示すように、穴部２５の内面は、背面側キャビネット１４の内面と、この背面側キャビネット１４の内面から垂直に立設された一対の隔壁２７とで構成されている。上側の隔壁２７の段部２６よりも若干奥側には、手前側係合部２８が他方（下側）の隔壁２７側へ突出するように形成されている。この手前側係合部２８よりもさらに奥側には、一対の奥側係合部２９が並んで他方の隔壁２７側へ突出するように形成されている。
【００５２】
図１５に拡大して示すように、補助脚部２４は１つの樹脂成型品よりなり、その先端側は、本体部１１の左側側面に沿う先端面を有するそり状の接地部２４ａが形成されている。この接地部２４ａに連続して基端側（奥側）よりも幅広の部分と基端側との堺に段形状の被当接部２４ｂが成形されている。この被当接部２４ｂが、補助脚部２４の挿入時に平置載置面１７側の穴部２５の周縁（段部２６）に当接するようになっている。被当接部２４ｂの背面側（平置載置面１７側）には、爪が引っ掛かる程度に指掛け部２４ｃが突設されている。補助脚部２４の基端側における上側隔壁２７側の側面には、突起部２４ｄが突出して形成されている。この突起部２４ｄと反対側は、一部が切り欠かれて切欠部２４ｅが形成され、そのことで突起部２４ｄの周辺が弾性変形自在となっている。補助脚部２４の接地部２４ａには、滑り止め手段としてのシール（図示せず）が貼り付けられていてもよい。補助脚部２４の平置載置面１７の内面側に当接する基端（奥側端）には、穴部２５から補助脚部２４が抜け出すのを防止するために段部２６に引っ掛かる鉤状のかえり部２４ｆが形成されている。かえり部２４ｆは、平置載置面１７側に向かって先細に成形されているので、補助脚部２４を穴部２５に挿入するときには、段部２６を乗り越えやすく、段部２６を乗り越えた後は、接地部２４ａ側の垂直面２４ｇが段部２６に引っ掛かることで抜け出しにくくなっている。このように補助脚部２４は１つの樹脂成型品よりなるので、複雑な構成でも容易に成形でき、適度な弾性を与えることができると共に、部品点数が少ないので、材料費及び組立費が少なくてすむ。
【００５３】
このように構成することで、補助脚部２４は、脚部用穴部２５に挿入されて先端面が穴部２５の周縁と面一となる格納状態（図１０に示す）と、穴部２５から引き出された状態で保持される伸長状態（図９に示す）とに伸縮自在に構成されている。格納状態では、指掛け部２４ｃにより、補助脚部２４を引き出すのが容易となっている。伸長状態では、図１３に拡大して示すように、手前側係合部２８に突起部２４ｄが係合している。そして、横置き状態で補助脚部２４を伸張させた状態で補助脚部２４の接地部２４ａも被載置面５０に当接するように構成されている。図６〜図８に示すように、補助脚部２４は、横置き状態における携帯電話機１及び卓上ホルダー１０の重心Ｃの近傍に配置されている。このため、携帯電話機１は、バランスよく安定した横置き状態でＴＶ視聴可能に構成されている。
【００５４】
−使用方法−
次に、本実施形態にかかる卓上ホルダー１０の使用方法について説明する。
【００５５】
（１）平置き状態
図３に示すように、平置き状態では、着脱自在のスタンド板２３を取り外すと共に、補助脚部２４を格納状態にして平置載置面１７を被載置面５０に当接させる。このことで、折り畳んだ状態の携帯電話機１を水平に保持した状態で膨出部１２の接続端子２０と第２の筐体５の充電端子５ｄとを接続して通電可能となる。この状態で携帯電話機１の充電が行われる。この平置き状態で、第１の筐体３を開くことができるが、表示部２がユーザの方に向いていないので、ＴＶ視聴には適していない。
【００５６】
図１４に拡大して示すように、補助脚部２４の格納状態では、補助脚部２４が脚部用穴部２５に完全に挿入され、突起部２４ｄが一対の奥側係合部２９間に係合されている。このとき、図１０に示すように、補助脚部２４の先端面（接地部２４ａの表面）が穴部２５の周縁と面一となるので見映えがよい。
【００５７】
なお、このとき、補助脚部２４を伸張させることで、補助脚部２４も被載置面５０に当接させてがたつきを防止することも可能である。
【００５８】
（２）縦置き状態
図４に示すように、縦置き状態では、スタンド板２３を取り付けると共に補助脚部２４を格納した状態でスタンド板２３の下面及び縦置載置面１６を被載置面５０に当接させる。このことで、第１の筐体３を折り畳んだ状態の携帯電話機１を保持した状態で膨出部１２の接続端子２０と第２の筐体５の充電端子５ｄとを接続して通電可能となる。この状態で充電をする。一方、通電状態で第１の筐体３を第２の筐体に対して開いてＴＶ視聴を行うこともできるが、このときの表示部２は縦長であるため、横長のＴＶ画像は小さく表示されてしまうので、ＴＶ視聴にはあまり適さない。
【００５９】
（３）横置き状態
図５に示すように、横置き状態では、第１の筐体３と第２の筐体５とを開くと共に、格納状態にあった補助脚部２４を脚部用穴部２５から伸張状態とする。このとき、補助脚部２４の先端が穴部２５の周辺と面一となっていても、指掛け部２４ｃに指を掛けることにより、容易に補助脚部２４を引き出すことができる。また、補助脚部２４の突起部２４ｄの反対側を切り欠くという簡単な構成で突起部２４ｄが容易に弾性変形するようになっているので、この弾性を利用して突起部２４ｄが手前側係合部２８を乗り越えた後、図１３に拡大して示すように、この手前側係合部２８に係合するようにすることで補助脚部２４が伸長状態で保持される。
【００６０】
補助脚部２４の伸長状態では、かえり部２４ｆが穴部２５近傍の段部２６に引っ掛かるので、補助脚部２４を引っ張りすぎて膨出部１２から誤って抜き出してしまうことがない。
【００６１】
このように、表示部２の横長画像が表示される状態で横置載置面１５及びスタンド板２３の側面だけでなく、補助脚部２４の接地部２４ａも被載置面５０に当接させて通電させる。図６〜図８に三方向から見た携帯電話機１及び卓上ホルダー１０の全体の重心Ｃの位置を示すように、第１の筐体３を閉じた状態で膨出部１２側にあった重心Ｃは、第１の筐体３を開くことで、第１の筐体３の方へ移動するが、その移動した重心Ｃの近傍に補助脚部２４が設けられているので、横置き状態の携帯電話機１が安定して保持される。また、電気コード１８により、外部電力が供給される。このため、ユーザは、安定した携帯電話機１の横長状態の画面を見ながら大きく表示されたＴＶ画像を長時間視聴することができる。また、補助脚部２４の接地部２４ａに貼り付けたシールにより補助脚部２４が被載置面５０上を滑らないので、先端面の面積は狭くても横置き状態で安定する。
【００６２】
なお、補助脚部２４を再び格納するときには、突起部２４ｄの周辺を弾性変形させながら、突起部２４ｄを、手前側係合部２８を乗り越えさせて係合状態を解除し、さらに手前側の奥側係合部２９を乗り越えさせた後、一対の奥側係合部２９間に係合させることで、補助脚部２４を格納状態に保持するようにすればよい。このため、格納操作及び伸張操作が容易である。
【００６３】
−実施形態の効果−
したがって、本実施形態にかかる卓上ホルダー１０によると、被載置面５０から離れた位置にある本体部１１の左側面に内蔵した伸縮自在の補助脚部２４を横置き状態で伸張させ、スタンド板２３の側面と横置載置面１５だけでなく、補助脚部２４の接地部２４ａも被載置面５０に当接するようにしたことにより、簡単な構成かつ簡単な操作で平置き、縦置き及び横置きの３通りの方法で携帯電話機１を安定して載置でき、さらに横置き状態では表示部２に横長画像を表示して視聴することができる。
【００６４】
（その他の実施形態）
本発明は、実施形態について、以下のような構成としてもよい。
【００６５】
すなわち、上記実施形態では、上記補助脚部２４を本体部１１の左側側面にのみ設けたが、右側側面に設けてもよく、両側面に設けてもよい。両側面に設けると、横置き状態において、充電端子の位置に合わせて見やすい方向に横長画面を表示させることができる。
【００６６】
上記実施形態では、横置き状態で左側膨出部１２ａと補助脚部２４の接地部２４ａと、スタンド板２３との三点支持としたが、スタンド板２３のない二点支持としてもよい。
【００６７】
上記実施形態では、携帯端末は折畳み式携帯電話機１としたが、第１の筐体を第２の筐体に対してスライドさせて非重合状態とするスライド式携帯端末や、非重合状態において、表示部のある第１の筐体が第２の筐体に対して縦長と横長とに切換可能な携帯端末であってもよい。補助脚部２４は格納されるので、第１の筐体を第２の筐体に対して横長に切り換えたときに、補助脚部２４が第１の筐体に接触しない。
【００６８】
また、上記実施形態では、折畳み式携帯端末は携帯電話機１としたが、表示部を有する折畳み式のＰＨＳ、ＰＤＡ、ＰＣ、モバイルツール、電子辞書等であってもよい。
【００６９】
なお、以上の実施形態は、本質的に好ましい例示であって、本発明、その適用物や用途の範囲を制限することを意図するものではない。
【図面の簡単な説明】
【００７０】
【図１】本発明の実施形態にかかる卓上ホルダーを前側から見た斜視図である。
【図２】本発明の実施形態にかかる卓上ホルダーを後側から見た斜視図である。
【図３】平置き状態の携帯電話機及び卓上ホルダーを示す斜視図である。
【図４】縦置き状態の携帯電話機及び卓上ホルダーを示す斜視図である。
【図５】横置き状態の携帯電話機及び卓上ホルダーを示す斜視図である。
【図６】横置き状態の携帯電話機及び卓上ホルダーの重心位置を示す正面図である。
【図７】横置き状態の携帯電話機及び卓上ホルダーの重心位置を示す平面図である。
【図８】横置き状態の携帯電話機及び卓上ホルダーの重心位置を示す側面図である。
【図９】背面側から見た卓上ホルダーの全体と拡大した伸長状態の補助脚部とを示す斜視図である。
【図１０】背面側から見た卓上ホルダーの全体と拡大した格納状態の補助脚部とを示す斜視図である。
【図１１】左側から見た背面側キャビネットの全体と拡大した脚部用穴部とを示す斜視図である。
【図１２】内面側から見た背面側キャビネットの全体と拡大した脚部用穴部とを示す斜視図である。
【図１３】内面側から見た背面側キャビネットの全体と拡大した伸長状態の脚部用穴部及び補助脚部を示す斜視図である。
【図１４】格納状態の脚部用穴部及び補助脚部を拡大して示す斜視図である。
【図１５】補助脚部を拡大して示し、（ａ）が斜視図で（ｂ）が正面図で（ｃ）が別の方向から見た斜視図である。
【図１６】携帯電話機の充電端子が見えるようにした斜視図である。
【符号の説明】
【００７１】
１      携帯電話機（折畳み式携帯端末）
２      表示部
３      第１の筐体
４      操作部
５      第２の筐体
５ａ    左側側面
５ｂ    右側側面
５ｃ    下側側面
５ｄ    充電端子
６      ヒンジ部
１０      卓上ホルダー
１１      本体部
１２      膨出部
２０      接続端子
２３      スタンド板
２４      補助脚部
２４ａ    接地部（先端）
２４ｂ    被当接部
２４ｃ    指掛け部
２４ｄ    突起部
２４ｅ    切欠部
２４ｆ    かえり部
２５      脚部用穴部
２６      段部
２７      隔壁
２８      手前側係合部
２９      奥側係合部
５０      被載置面
Ｃ      重心
【図１】
0004871914.tif 000002
【図２】
0004871914.tif 000003
【図３】
0004871914.tif 000004
【図４】
0004871914.tif 000005
【図５】
0004871914.tif 000006
【図６】
0004871914.tif 000007
【図７】
0004871914.tif 000008
【図８】
0004871914.tif 000009
【図９】
0004871914.tif 000010
【図１０】
0004871914.tif 000011
【図１１】
0004871914.tif 000012
【図１２】
0004871914.tif 000013
【図１３】
0004871914.tif 000014
【図１４】
0004871914.tif 000015
【図１５】
0004871914.tif 000016
【図１６】
0004871914.tif 000017